(57)【要約】【課題】屈曲部に真空断熱材を折り曲げて配置すると、屈曲部での隙間通路が狭くなるので、ウレタンの流動抵抗が大きくなって、発泡剤が冷蔵庫全体に充填され難くなる。【解決手段】冷蔵庫４３の筐体４４の屈曲部４８に厚さを大きくした真空断熱材５２を保持するＬ字状の保持部材５１を配設し、保持部材５１に真空断熱材５２を設置した後に、内箱４５と外箱４６の間にフロス発泡によるウレタンの充填を行うことにより、ウレタンの充填性を高めながら屈曲部での耐荷重性が向上し、冷蔵庫筐体の剛性を高めることができる。【選択図】図２
2013234809.tif 000002
【特許請求の範囲】
【請求項１】
内箱と外箱の間に真空断熱材が配置される冷蔵庫において、冷蔵庫筐体の屈曲部に真空断熱材を保持する保持部材を配設し、前記保持部材に前記真空断熱材を設置した後に、前記内箱と前記外箱の間にフロス発泡によるウレタンの充填を行うことを特徴とする冷蔵庫。
【請求項２】
前記保持部材をＬ字状に構成し、前記真空断熱材を前記保持部材に挿入することを特徴とする請求項１に記載の冷蔵庫。
【請求項３】
前記保持部材の前記外箱側に位置する表面に、発泡材が充填されやすいように、研磨処理を施したことを特徴とする請求項１または２に記載の冷蔵庫。
【請求項４】
前記保持部材は、前記真空断熱材よりも強度の高い樹脂で構成することを特徴とする請求項１から３のいずれか一項に冷蔵庫。
【請求項５】
前記保持部材の前記内箱側に位置する表面と前記内箱を接着部材で結合し、冷蔵庫筐体の剛性を向上させたことを特徴とする請求項１から４のいずれか一項に記載の冷蔵庫。
【発明の詳細な説明】
【技術分野】
【０００１】
本発明は、冷蔵庫筐体の屈曲部に真空断熱材を配設した冷蔵庫に関するものである。
【背景技術】
【０００２】
従来、この種の冷蔵庫は、芯材の間に変形保持部材を配設し、真空断熱材３０を曲げた状態で設置したものがある（例えば、特許文献１参照）。
【０００３】
図３は特許文献１に記載された従来の冷蔵庫を示すものである。図４は図３のＣ部を拡大した断面図である。図３に示すように、真空断熱材３０は、断熱壁の曲げ部２４に沿って配設した真空断熱材であり、曲げ部２４の内箱２１側に設置する場合は、内箱２１の形状に沿って内箱２１に密着するように設置してある。また、真空断熱材３０は、曲げ部２４の外箱２３側に設置する場合は、外箱２３の形状に沿って設置してある。
【０００４】
前記断熱壁の曲げ部２４は断熱壁の変形部を構成する部分である。そして、断熱壁の変形部は、内箱２１または外箱２３における二つの面が交差する角部である曲げ部２４の他に、内箱２１または外箱２３における凹凸部などである変形部が含まれる。
【０００５】
真空断熱材８０は、断熱壁の平面部に配設した真空断熱材であり、真空断熱材３０を折り曲げることをしないで、平面形状のままで、断熱壁内に配設した真空断熱材である。外箱２３の一面（背面）に沿って設置された真空断熱材８０の端部は、内箱２１の一面（上面または底面）から曲げ部２４を経て他の面（背面）に沿って延びる真空断熱材３０の端部と投影面で重合している。係る構成によって、発泡断熱材２２の充填性を確保しつつ、真空断熱材３０、８０の設置面積を増大することができ、断熱性能を向上することができる。次に、曲げ部２４へ適用する真空断熱材を図４により説明する。
【０００６】
図４において、真空断熱材３０は断熱壁の曲げ部２４の内箱面２１ａの形状に沿って該内箱面２１ａに密着するように配設された真空断熱材であり、ガスバリア性を有する外被材３１中に、結合剤を含まない無機繊維重合体にて形成された芯材を３２と、ガスを吸着するゲッター剤を内蔵した変形保持部材３３と共に収納し、所定の真空度にて真空封止して構成してある。
【０００７】
芯材３２を構成する無機繊維重合体は、平均繊維径３μｍから５μｍの汎用性の高いものが用いられており、従来の真空断熱材に用いられる繊維径分布のピーク値が１μｍ以下かつ０．１μｍ以上の超極細無機繊維と比較して、格段に安価なものとすることができると共に、折り曲げ性が格段に良好である。なお、芯材３２として、無機繊維重合体の代わりに有機繊維重合体を用いてもよい。
【０００８】
真空断熱材３０は、その製造時は、真空断熱材３０自身の生産性の向上が図れるように、略平面形状として製造される。そして、略平面形状として製造された真空断熱材３０を冷蔵庫の箱体２０に組み込む際には、前述したように、曲げ部２４の内箱面２１ａの形状に沿って密着するように、真空断熱材３０を曲げた状態で設置する。
【０００９】
従って、略平面形状として製造された真空断熱材３０を、図４に示すように、所定の曲面半径で、所定の角度に曲げられるように、且つ、曲げた形状を保持できるように、無機繊維重合体にて形成された芯材３２の間に、生分解性物からなる繊維状マットで形成した変形保持部材３３或いは生分解性物からなる粉体を不織布の袋に詰めて形成した変形保持部材３３を介在させてある。変形保持部材３３として生分解性物を用いることにより、地
球環境に優しいものとすることができる。
【００１０】
所定の厚さを有する芯材３２を複数の層３２ａ、３２ｂで作り、該複数の層３２ａと３２  ｂとの間に、変形保持部材３３を設置することにより、真空断熱材３０を所定の曲面半径で、所定の角度に曲げても、芯材３２の層３２ａ、３２ｂを構成する無機繊維重合体が破壊する程度が少なく、且つ、該無機繊維重合体による外被材３１の損傷が少なくなるように構成されている。
【００１１】
つまり、変形保持部材３３を芯材３２の間に設置しない場合は、芯材３２の内面半径の部分において強制的に圧縮されるか、或いは、芯材３２の外面半径の部分において強制的に引っ張り力を受けるので、芯材３２を形成する無機繊維重合体が有る程度の割合で破壊してしまう恐れがある。
【００１２】
これに対して、変形保持部材３３により芯材３２が複数の層３２ａ、３２ｂに分離されているので、真空断熱材３０を曲げた場合には、複数の層３２ａ或いは３２ｂがそれぞれ単独に曲がるので、層３２ａの内面半径の部分或いは外面半径の部分において強制的に圧縮される圧縮量が、変形保持部材３３を設置しない場合と比較して小さくなり、或いは、層３２ｂの内面半径の部分或いは外面半径の部分において強制的に引っ張られる量が、変形保持部材３３を設置しない場合と比較して少なくなる。これによって、層３２ａや層３２  ｂを形成する無機繊維重合体が破壊する程度が少なくなり、該無機繊維重合体による外被材３１の損傷が少なくなるように構成されている。
【先行技術文献】
【特許文献】
【００１３】
【特許文献１】特開２００７−５６９７３号公報
【発明の概要】
【発明が解決しようとする課題】
【００１４】
しかしながら、前記従来の構成では、屈曲部に真空断熱材を折り曲げて配置すると、屈曲部での隙間通路が狭くなるので、ウレタンの流動抵抗が大きくなって、発泡剤が冷蔵庫全体に充填され難くなるという課題を有していた。
【００１５】
本発明は、前記従来の課題を解決するもので、屈曲部に真空断熱材を配置してもウレタンの充填性を損なうことなく、かつ、屈曲部での耐荷重性の高い冷蔵庫を提供することを目的とする。
【課題を解決するための手段】
【００１６】
前記従来の課題を解決するために、本発明の冷蔵庫は、内箱と外箱の間に真空断熱材が配置される冷蔵庫において、冷蔵庫筐体の屈曲部に真空断熱材を保持する保持部材を配設し、前記保持部材に前記真空断熱材を設置した後に、前記内箱と前記外箱の間にフロス発泡によるウレタンの充填を行うものである。
【００１７】
これによって、流動性の良いフロス発泡によりウレタンを充填するので、屈曲部の隙間通路が真空断熱材の配設により狭くなったとしても、ウレタンの充填性が低下するのを防止すると共に、Ｌ字状の保持部材に真空断熱材を収納しているので、屈曲部での耐荷重性が向上し、冷蔵庫筐体の剛性も高くなる。
【発明の効果】
【００１８】
本発明の冷蔵庫は、流動性の良いフロス発泡によりウレタンを充填するので、屈曲部の隙間通路が真空断熱材の配設により狭くなったとしても、ウレタンの充填性が低下するの
を防止すると共に、Ｌ字状の保持部材に真空断熱材を収納しているので、屈曲部での耐荷重性が向上し、冷蔵庫筐体の剛性も高くなり、冷蔵庫筐体が僅かに震えることによる振動音を抑制することができる。
【図面の簡単な説明】
【００１９】
【図１】本発明の実施の形態１における冷蔵庫の縦断面図
【図２】本発明の実施の形態１における冷蔵庫の屈曲部周辺の断面図
【図３】従来の真空断熱材及びそれを用いた冷蔵庫の縦断面図
【図４】従来の冷蔵庫の屈曲部を拡大した断面図
【発明を実施するための形態】
【００２０】
第１の発明は、内箱と外箱の間に真空断熱材が配置される冷蔵庫において、冷蔵庫筐体の屈曲部に真空断熱材を保持する保持部材を配設し、前記保持部材に前記真空断熱材を設置した後に、前記内箱と前記外箱の間にフロス発泡によるウレタンの充填を行うものであり、流動性の良いフロス発泡によりウレタンを充填するので、屈曲部の隙間通路が真空断熱材の配設により狭くなったとしても、ウレタンの充填性が低下するのを防止しつつ屈曲部での断熱性能の向上が図れると共に、Ｌ字状の保持部材に真空断熱材を収納しているので、真空断熱材を単独で配置するのと比較して屈曲部での耐荷重性が向上し、冷蔵庫筐体の剛性も高くなり、冷蔵庫筐体が僅かに震えることによる振動音を抑制することができる。
【００２１】
第２の発明は、第１の発明において、前記保持部材をＬ字状に構成し、前記真空断熱材を前記保持部材に挿入するものであり、真空断熱材の配設が非常に簡単となり、真空断熱材の配設に伴う作業工数を大幅に低減することができる。
【００２２】
第３の発明は、第１または第２の発明において、前記保持部材の前記外箱側に位置する表面に、発泡材が充填されやすいように、研磨処理を施したものであり、フロス発泡の際に前記保持部材の表面に沿って流れるウレタンが流動し易くなり、ウレタンの充填性が低下するのを未然に防止することができる。
【００２３】
第４の発明は、第１から第３のいずれか１つの発明において、前記保持部材は、前記真空断熱材よりも強度の高い樹脂で構成するものであり、屈曲部に厚みの大きな真空断熱材を配設しても、前記保持部材が冷蔵庫筐体の強度を維持することができる。
【００２４】
第５の発明は、第１から第４のいずれか１つの発明において、前記保持部材の前記内箱側に位置する表面と前記内箱を接着部材で結合し、冷蔵庫筐体の剛性を向上させたものであり、前記機械室に設置された冷凍サイクルを構成する機構部品の重量を支えると共に、圧縮機を起因とする冷蔵庫筐体の音振動を抑制することができる。
【００２５】
以下、本発明の実施の形態について、図面を参照しながら説明する。なお、この実施の形態によって本発明が限定されるものではない。
【００２６】
（実施の形態１）
図１は、本発明の第１の実施の形態における冷蔵庫の縦断面図を示すものである。図２は、本発明の第１の実施の形態における冷蔵庫の屈曲部周辺の断面図を示すものである。
【００２７】
図１、図２において、食品を冷蔵保存する冷蔵室４０と、食品を冷凍保存する冷凍室４１と、野菜などの食品を冷蔵保存する野菜室４２とで、冷蔵庫４３の貯蔵室が構成されている。冷蔵庫４３の筐体４４は、内箱４５と外箱４６の間に発泡ウレタンを充填して構成される。また、内箱４５と外箱４６の間には、冷蔵庫４３の断熱性能を向上させるため、
真空断熱材が設けられる。冷蔵庫４３の筐体４４の背面上部には、屈曲部４８が設けられ、圧縮機４９などの機構部品が載置される機械室５０が配設されている。屈曲部４８を形成している内箱４５には、Ｌ字状の保持部材５１が接着剤などで接合され、保持部材５１の内部に真空断熱材５２が挿入される。保持部材５１の材質としては、発泡ウレタンと比較して、断熱性能および強度の面で大きな遜色のない特定の樹脂が選定されている。また、保持部材５１の外箱４６側に位置する表面には、発泡ウレタンが充填されやすいように、研磨処理が施されている。
【００２８】
以上のように構成された冷蔵庫について、以下その動作、作用を説明する。
【００２９】
まず、屈曲部４８を形成している部分の内箱４５に保持部材５１を設け、その中に厚みの大きな真空断熱材５２を挿入するようにしているので、屈曲部４８の上部に載置されている圧縮機４９などの機構部品が配置される機械室５０の荷重は、保持部材５１のフレームに作用し、真空断熱材５２に直接作用しないようにしているので、厚みのある真空断熱材５２の変形破損を未然に防止することができる。また、屈曲部４８に配設されるＬ字状の保持部材５１は内箱４５側に接する表面に接着部材によって貼付固定されているため、鉛直下側に作用する機械室５０の荷重を、Ｌ字状の保持部材５１の下面だけでなく背面でも受ける配置となっており、機械室５０の鉛直下側の荷重によって内箱４５が撓むのを未然に防止している。また、内箱４５と外箱４６の間には発泡ウレタンが充填されるので、Ｌ字状の保持部材５１の背面と内箱４５が密着固定され、保持部材５１に作用する機械室５０の鉛直下向きの荷重を、より堅固に支えることが可能となっている。
【００３０】
また、予め所定の構造に樹脂形成しておいた保持部材５１に真空断熱材５２を挿入する方法をとっているので、作業が非常に簡単となり、平面度に欠ける真空断熱材５２の表面と内箱４５を直接接着する場合に比べ、接着部が強固となり、保持部材５１が屈曲部４８の補強部材となるので、冷蔵庫４３の剛性を高めることができる。機械室５０内の圧縮機４９の音振動は、補強部材としての機能を兼ね備える保持部材５１によって軽減され、内箱４５へ伝達し難い構造となっている。
【００３１】
さらに、屈曲部４８に真空断熱材５２を内蔵したＬ字状の保持部材５１を配設しているので、屈曲部４８での内箱４５外箱４６との隙間通路が狭くなるが、流動性の良いフロス発泡により、ウレタンの充填を行うので、ウレタンが回らない箇所が発生する充填不良を未然に防止すると共に、厚みのある真空断熱材５２が配置可能となり、冷蔵庫４３の断熱性能を向上させることができる。そして、保持部材５１の外箱４６側に位置する表面に、発泡材が充填されやすいように、研磨処理を施しているので、ウレタンが保持部材５１の表面を滑らかに通過する事が可能となる。
【００３２】
以上のように、本実施の形態においては、内箱４５と外箱４６の間に真空断熱材５２が配置される冷蔵庫４３において、筐体４４の屈曲部４８に厚さを大きくした真空断熱材５２を保持するＬ字状の保持部材５１を配設し、保持部材５１に真空断熱材５２を設置した後に、内箱４５と外箱４６の間にフロス発泡によるウレタンの充填を行うものであり、流動性の良いフロス発泡によりウレタンを充填するので、屈曲部４８の隙間通路が真空断熱材５２の配設により狭くなったとしても、ウレタンの充填性が低下するのを防止することができる。そして、Ｌ字状の保持部材５１に真空断熱材５２を収納しているので、屈曲部４８での耐荷重性が向上し、冷蔵庫４３の筐体４４の剛性も高くなり、機械室５０内の圧縮機４９に起因する音振動の発生も低減することができる。
【産業上の利用可能性】
【００３３】
以上のように、本発明にかかる冷蔵庫は、屈曲部に厚みのある真空断熱材を配設して庫内に侵入する熱量を低減することが可能となるので、業務用の大型冷蔵庫やショーケース
等の用途にも適用できる。
【符号の説明】
【００３４】
４０  冷蔵室
４１  冷凍室
４２  野菜室
４３  冷蔵庫
４４  筐体
４５  内箱
４６  外箱
４８  屈曲部
４９  圧縮機
５０  機械室
５１  保持部材
５２  真空断熱材
【図３】
2013234809.tif 000003
【図４】
2013234809.tif 000004
【図１】
2013234809.tif 000005
【図２】
2013234809.tif 000006